(57)【要約】【課題】従来、筆記や塗布において、ボールの動きにより生じる違和感及びそれに伴う不快感、ボールペンチップとインキ室の間からのインキ洩れ及び減量してしまうという問題点があった。【解決手段】弾性材料からなる部材をインキ室又は接続部材とボールペンチップとに周状当接するよう配置する。【選択図】  図１
2004351841.tif 000002
【特許請求の範囲】
【請求項１】
被筆記面に対して接触してインキ転写部材となるボールと、このボールを先端開口部より一部突出させると共に回転自在に抱持するボールホルダーとを有し、ボールホルダー内に配置したコイルスプリングによって前記ボールを前方付勢して不使用時にはボールがボールホルダーの開口縁に当接するようなしたボールペンチップを、インキを貯蔵するインキ室に直接又は接続部材を介して接続してなるボールペンにおいて、インキ通孔を有する弾性材料からなる部材を前記インキ室又は接続部材と前記ボールホルダーとに周状当接するよう配置したボールペン。
【請求項２】
前記弾性材料からなる部材が、前記バネの後方移動を規制するバネ係止部である請求項１記載のボールペン。
【請求項３】
前記インキ室が、樹脂の押出成形によって作製される請求項１又は請求項２記載のボールペン。
【請求項４】
前記インキ室に、インキ及びインキ消費と共にインキに追従する固体及び／又は液体の移動栓を配してなる請求項１乃至請求項３記載のボールペン。
【請求項５】
前記インキの後部空間に加圧空気を配置する請求項１乃至請求項４記載のボールペン。
【発明の詳細な説明】
【０００１】
【発明の属する技術分野】
本発明は、被筆記面に対して接触してインキ転写部材となるボールと、このボールを先端開口部より一部突出させると共に回転自在に抱持するボールホルダーとを有し、ボールホルダー内に配置したコイルスプリングによって前記ボールを前方付勢して不使用時にはボールがボールホルダーの開口縁に当接するようなしたボールペンチップを、インキを貯蔵するインキ室に直接又は接続部材を介して接続してなるボールペンに関する。
【０００２】
【従来の技術】
従来、ボールペンチップをペン先として用いた所謂ボールペンには、油性ボールペンや水性ボールペンなどのようなインキをインキ室に貯蔵した筆記具や、修正液組成物、化粧料組成物をインキ室に貯蔵した塗布具がある。また、ノック操作によりリフィルを出没させる筆記体出没機構をもつノック式ボールペンも知られている。更に、予め、圧力をインキ室に注入したものや、使用途中にキャップ装着やノック作動により外部圧力を注入する加圧式のボールペンも知られている。
【０００３】
キャップを装着していないノック式ボールペンの多くは、インキの水頭圧によりインキをチップ先端へ供給するインキ吐出構造となっているので、インキ洩れを起こさないためにボールとボールホルダーの開口縁との密閉性が要求される。特に、加圧式のボールペンであれば、環境変化や誤作動による内部の圧力上昇でのインキ洩れがより懸念されるためにボールとボールホルダーの開口縁との密閉性が要求されるものである。この要求に対し、ボールホルダー内に配置したコイルスプリングなどのバネにてボールを前方付勢して両者を密閉する構造のボールペンが知られている。このバネを配置する方法としては、ボールホルダーの後端部をカシメによって径縮したものが知られている。（特許文献１参照）
【０００４】
【特許文献１】
特開平１０−３２９４７６号公報（第２頁第１行〜第２頁第１５行、図１〜図３）
【０００５】
【発明が解決しようとする課題】
インキ室は、インキ残量の確認や製造の容易性よりポリプロピレンなどの合成樹脂の押し出し成型パイプを適宜長さに切断したものとされることがあるが、一般的に押し出し成形パイプの内面は微細ではあるが無数の皺が形成されており、この皺がボールペンチップや継ぎ手部材との接続に際して液密の点で不利となるものである。金属製のボールペンチップにしても表面が切削加工にて形成されるものが多く、「引目」と呼ばれる切削刃物痕があり、微細な凹凸が形成されており、液密性の障害となり得るものである。インキの水頭圧はこのような部材の継ぎ目部分にもかかっているため、接触状態によってはインキの滲みだしやインキ洩れとなることが懸念される。特に、表面張力や粘度の低いインキを収容したものや、圧縮空気などの圧力を付与してインキの吐出支援をなすものでは、これらの危険が高まるものであった。
【０００６】
また、チップ後端部をカシメによって径縮してバネに対する後方移動規制をなしたものでは、筆記の時にはボールを介してバネを押し縮めることになるので、ボールに対する押圧を解除したときには、バネの反発力によって再びボールがチップの先端開口部の内縁に衝突することになり、バネを押す感触と衝突のノック感が不快感となることがあった。
特に、高粘度のインキや固形分の多いインキや修正液では、ボールとボールホルダーの先端開口部とが形成する隙間が狭いと液が吐出され難いのでボールの前後移動量を比較的大きめにするため、筆記の際にボールを押し上げる長さも長くなり、インキや修正液が速乾性のものであればボールペンチップの内部での乾燥をも抑制する必要があるし、キャップを使用しない出没式のボールペンでは万一インキが洩れることも防止する必要があるので、必然的にバネ圧も高い設定とされる傾向にあり、筆圧が解除されたときの衝撃も比較的大きなものとなる。
【０００７】
【課題を解決するための手段】
即ち、本発明は、被筆記面に対して接触してインキ転写部材となるボールと、このボールを先端開口部より一部突出させると共に回転自在に抱持するボールホルダーとを有し、ボールホルダー内に配置したコイルスプリングによって前記ボールを前方付勢して不使用時にはボールがボールホルダーの開口縁に当接するようなしたボールペンチップを、インキを貯蔵するインキ室に直接又は接続部材を介して接続してなるボールペンにおいて、インキ通孔を有する弾性材料からなる部材を前記インキ室又は接続部材と前記ボールホルダーとに周状当接するよう配置したボールペンを要旨とする。
【０００８】
【実施例】
以下図面に基づき一例について説明する。
図１に示したものは、内部に繊維収束体などのインキ吸蔵体に保持されていない自由状態のインキ１を収容する、所謂生インキ式ボールペンの一例である。金属製のボールペンチップ２が、インキ室であり内径が１．８ｍｍの押出成形されたパイプからなるインキ筒３の前方に圧入固定されている。
【０００９】
インキ筒３に収容されているインキ１は、メチルシクロヘキサンを主媒体とした媒体中に酸化チタンを分散した修正液用の白色インキで、１５０００ｍＰａ・ｓ（２５℃）の高粘度に設定してある。インキ１の界面位置には盤状の浮栓４が配置されており、インキ１の界面の一部に局地的な圧力が付与されたとしても、その圧力を界面全体に渡って分散し、インキ界面に局地的な凹みなどができることを抑制している。
【００１０】
ボールペンチップ２は基本的にボール５とボールホルダー２ａとから構成されており、ボールホルダー２ａの内孔前部分にはボール５が回転自在に取り付けているが、このボール５は弾撥部材であるバネ６によって、前方に付勢されており、筆圧などの力が付与されていない状態では、ボールホルダー２ａの先端開口部２ｂを塞いでいる。ボール５に筆圧が付与されると、ボール５は後退し、ボール５と先端開口部２ｂとの間に隙間が形成されインキ１がボール５の回転と共に吐出される。本例のものの実際はボール５の前後移動量は０．０８ｍｍ、バネ６のボール５に対する荷重は１２０ｇである。
【００１１】
ボールペンチップ２の後方には、シリコンゴム製のバネ係止部材７が圧入固定して配置されている。バネ係止部材７は弾性材料であることが必要で、シリコンゴムの他にブチルゴム、エチレンプロピレンゴムなども使用可能である。また、このバネ係止部材７には、ボールペンチップ２内にインキ１を供給する、インキ通孔７ａが形成されている。この弾性材料からなるバネ係止部材７により、筆記の際にバネが受ける圧力や衝撃を分散・吸収することができる。
また、インキ筒３に、バネ係止部材７が圧入固定されているとともに、ボールペンチップ２が、バネ係止部材７に周状当接している。よって、切削加工された、ボールペンチップ２のインキ筒３の圧入部２ｃや、インキ筒３内のキズから、インキ１が浸透し洩れてしまうことを抑制している。また、インキ筒３内からの、インキ１の減量及び、インキ１の主溶媒の気化をも抑制している。
【００１２】
インキ筒３の浮栓４の後方には、圧縮された気体が充填され、尾栓８にて密閉されている。尾栓８は気体を圧縮して充填するための加圧気体注入部８ａを有しており、加圧力は、３ｋｇｆ／ｃｍ２となるように設定されているものである。
この圧縮気体による圧力は浮栓４と共にインキ界面を押す力となり、筆記する際のインキの吐出を支援するものである。本例におけるインキのような高粘度のインキを吐出させるに有利な構造であるが、インキが低粘度の場合には必ずしも加圧支援構造は必要としない。この場合には、インキの逆流を抑制するためにポリブテン、αオレフィン、ポリαオレフィンなどの基材をゲル化した１００００ｍＰａ・ｓ以上（℃）の比較的高粘度のインキ逆流防止体組成物をインキ界面に配置してインキの後方移動を抑制するものとすることもできる。
【００１３】
【発明の効果】
以上により、本発明によれば、弾性材料からなる部材をインキ室又は接続部材とボールペンチップとに周状当接するよう配置することにより、筆記や塗布において、ボールの動きにより生じる違和感及びそれに伴う不快感、ボールペンチップとインキ室の間からのインキ洩れ及び減量の問題を極力抑制し得るものである。
【図面の簡単な説明】
【図１】一例を示す縦断面図。
【符号の説明】
１  インキ
２  ボールペンチップ
２ａ  ボールホルダー
２ｂ  先端開口部
２ｃ  圧入部
３  インキ筒
４  浮栓
５  ボール
６  バネ
７  バネ係止部材
７ａ  インキ通孔
８  尾栓
８ａ  加圧気体注入部
【図１】
2004351841.tif 000003